(57)【特許請求の範囲】
【請求項１】
本体に出し入れ自在に収納された引き出し扉と、前記引き出し扉に設置されたケースと、引き出し扉を支持するように設けられた支持フレームと、前記支持フレーム上方に設けられたタイミングベルトと、前記タイミングベルト上を動作する冷蔵庫本体に固定された自動オープンユニットとを備え、自動オープンユニットは前記引き出し扉を押し出すためのスライドピンと、前記タイミングベルト上を動作するローラーと、前記スライドピンと前記ローラーを１つの手段により駆動させるための駆動手段とをユニットとして一体構成したことを特徴とする冷蔵庫の引き出し扉。
【請求項２】
ローラーを歯車形状とし、タイミングベルトと噛み合わせ確実に駆動させる事を特徴とする請求項１に記載の冷蔵庫の引き出し扉。
【請求項３】
駆動手段の動作が一定時間終了後、駆動手段の電圧を徐々に下げ、引き出しケースをソフトに停止させる事を特徴とする請求項２または３に記載の冷蔵庫の引き出し扉。
【請求項４】
自動オープンユニット内の下方にセンサーを設け、タイミングベルト上に設けたマグネットにより引き出しケース位置を検出し、引き出し扉がロックした時に駆動手段を停止する事を特徴とする請求項１から請求項３のいずれか一項に記載の冷蔵庫の引き出し扉。
【請求項５】
引き出しケースが開いた後は駆動手段を逆転させ、スライドピンに力を伝達する歯車を間欠部まで逆転させる事を特徴とする請求項１から請求項４のいずれか一項に記載の冷蔵庫の引き出し扉。
【発明の詳細な説明】
【０００１】
【発明の属する技術分野】
本発明は冷蔵庫の引き出し扉に関するものである。
【０００２】
【従来の技術】
近年、冷蔵庫は冷蔵室ドア扉の収納性向上や使いやすい引き出し扉に冷凍，野菜，等様々な温度帯を配置した物など使いやすさを重視した商品が出ている。
【０００３】
従来の冷蔵庫の引き出し扉としては特開平２−１０６６８６号公報に示されているものがある。
【０００４】
以下、図面を参照しながら上記従来の冷蔵庫の引き出し扉を説明する。
【０００５】
図１１は従来の冷蔵庫であり、図１２は横の縦断面図であり、図１３は正面の縦断面図の冷蔵庫である。
【０００６】
図１１において１は冷蔵庫本体であり、２は引き出し扉、３は回転扉である。４は引き出し扉２を操作する操作部である。図１２，１３において５は外箱，６は内箱，７は外箱５と内箱６の中に充填された断熱材であり、外箱５，内箱６，断熱材７により冷蔵庫本体１を形成する。８は引き出し扉２に設けられたケースであり、９は引き出し扉２を支持するフレームであり、１０はフレームの上面に設けられたフランジである。
【０００７】
１１は冷蔵庫１本体の内側壁に固定された前ローラーで、その上にフレーム１０が支持され、１２はフレーム９の後方に設けられたレールである。１３はフレーム９の後方に設けられた後ローラーである。１４はケース８の下方に前後方向に設けられた回転シャフトであり、１５は後方に設けられた電動機である駆動モーターであり、回転シャフト１４と嵌合している。１６は回転シャフト１４の前端部に設けられた軸受け部であり、回転シャフト１４の軸１４ａは嵌合している。１７はケース８の下方に設けられた扉支持フレームであり、１８はゴム製ローラーであり、１９は上ローラー，２０はガイドローラーである。
【０００８】
以上のように構成された冷蔵庫の引き出し扉について、以下その動作を説明する。
【０００９】
まず、操作部４でスイッチをＯＮさせると、駆動モーター１５が回転し、駆動モーター１５の軸１５ａを介して回転シャフト１４に回転力が伝達される。回転シャフト１４が回転すると、その上に配置されたゴム製ローラー１８が回転する。ゴム製ローラー１８が回転すると、その力は軸１５ａ方向に働き、引き出し扉２が押し出される。
【００１０】
【発明が解決しようとする課題】
しかしながら、従来の構成によるとローラーだけの案内摺動であるため、ガスケットと冷蔵庫本体の密着をはずすのに必要な力を得るのが難しいという欠点があった。
【００１１】
本発明は従来の課題を解決するもので、冷蔵庫の引き出し扉を効率よくオープンできることを目的とする。
【００１２】
また、上記従来の構成は、ケース下方に設ける仕様であるためケース収納量が減り、取り付けられる位置も限定されるという欠点があった。
【００１３】
本発明の他の目的は、構成をコンパクトにでき、かつどの位置の引き出しにも設置できることである。
【００１４】
【課題を解決するための手段】
この目的を達成するため本発明の冷蔵庫の引き出し扉は、本体に出し入れ自在に収納された引き出し扉と、前記引き出し扉に設置されたケースと、引き出し扉を支持するように設けられた支持フレームと、前記支持フレーム上方に設けられたタイミングベルトと、前記タイミングベルト上を動作する冷蔵庫本体に固定された自動オープンユニットとを備え、自動オープンユニットは前記引き出し扉を押し出すためのスライドピンと、前記タイミングベルト上を動作するローラーと、前記スライドピンと前記ローラーを１つの手段により駆動させるための駆動手段とをユニットとして一体構成したものである。
【００１５】
これにより、引き出し扉を効率よくオープンでき、また、引き出し扉が冷蔵庫のどの位置にあっても設置する事ができる。また、駆動手段の力は歯車を介してスライドピンとローラーの２方向に伝達されるので、一つの駆動手段により動作することができ、これにより、自動オープンユニットをコンパクトにできる
【００１７】
また、ローラーを歯車形状とし、タイミングベルトと噛み合わせるため、引き出し扉を確実に駆動できる。
【００１８】
また、引き出し扉の開け終わりには駆動手段の電圧を徐々に下げるので、引き出しケースをソフトに停止させることができる。
【００１９】
また、自動オープンユニット内にセンサーを設け、タイミングベルト上に設けたマグネットにより引き出しケース位置を検出し、引き出し扉がロックした時に駆動手段を停止する。
【００２０】
これにより、装置の安全を図る。
【００２１】
また、引き出しケースが開いた後は駆動手段を逆転させ、スライドピンに駆動手段の力を伝達する歯車を間欠部まで逆転させる。
【００２２】
これにより、扉を閉める際の安全を図る。
【００２３】
【発明の実施の形態】
本発明の冷蔵庫の引き出し扉は、本体に出し入れ自在に収納された引き出し扉と、前記引き出し扉に設置されたケースと、引き出し扉を支持するように設けられた支持フレームと、前記支持フレーム上方に設けられたタイミングベルトと、前記タイミングベルト上を動作する冷蔵庫本体に固定された自動オープンユニットとを備え、自動オープンユニットは前記引き出し扉を押し出すためのスライドピンと、前記タイミングベルト上を動作するローラーと、前記スライドピンと前記ローラーを１つの手段により駆動させるための駆動手段とをユニットとして一体構成したものであり、引き出し扉と冷蔵庫本体のガスケットの密着をはずすにはスライドピンの押し出し力を使い、引き出しの摺動はローラーの力で行うため、効率的であるとともに自動オープンユニットをコンパクトにできる。
【００２５】
また、ローラーを歯車形状とし、タイミングベルトと噛み合わせたので、引き出し扉を確実に駆動できる。
【００２６】
また、駆動手段の動作が一定時間終了後、駆動手段の電圧を徐々に下げるので、引き出しケースをソフトに停止させる。
【００２７】
また、自動オープンユニット内にセンサーを設け、タイミングベルト上に設けたマグネットとの位置関係により引き出しケース位置を検出し、引き出し扉がロックした時に駆動手段を停止するので、安全を図れる。
【００２８】
また、引き出しケースが開いた後は駆動手段を逆転させ、スライドピンに駆動手段の力を伝達する歯車を間欠部まで逆転させるので、引き出し扉を閉める際に歯車の噛み合いがなくスムーズに閉められ、装置の破損もない。
【００２９】
【実施例】
以下、本発明による冷蔵庫の引き出し扉の実施例について、図面を参照しながら説明する。なお、従来と同一構成については、同一符号を付して詳細な説明を省略する。
【００３０】
（実施例１）
図１は、本発明の実施例１による冷蔵庫の引き出し扉の縦断面図である。
【００３１】
図２は、同実施例の冷蔵庫の縦断面図である。
【００３２】
図１，図２において２１は冷蔵庫本体であり、２２は引き出し扉、２３は引き出し扉２２前面につけられた引き出し扉２２の自動オープンをスタートするためのスイッチ、２４は引き出し扉裏面に付けられ冷蔵庫本体２１と密着し冷蔵庫庫内の冷気を逃さないためのガスケットである。２５は引き出し扉２２に固着された支持フレームであり、２６は支持フレーム２５上に配置したタイミングベルトであり、２７は冷蔵庫本体２１の内側に設置されタイミングベルト２６上を摺動する自動オープンユニット（以下オープンユニットと言う）である。
【００３３】
２８はオープンユニット２７内に設けられ冷蔵庫本体２１とガスケット２４の着脱をはずすためのスライドピンであり、２９はオープンユニット２７内に設けられタイミングベルト２６上を摺動するローラーであり、３０はオープンユニット２７内に設けられスライドピン２８とローラー２９を駆動するモーターなどの駆動手段である。３１は引き出し扉２２に設けられたケースである。
【００３４】
以上のように構成された自動オープン装置について以下その動作を説明する。スイッチ２３が押されると駆動手段３０が動作し、その力がスライドピン２８と、ローラー２９に伝わり、スライドピン２８が引き出し扉２２を押してガスケット２４と冷蔵庫本体２１の密着をはずし、同時にローラー２９の摺動で引き出し扉２２を開ける。
【００３５】
以上のようにスライドピン２８の押し出しとローラーの摺動により引き出し扉がオープンするので効率がよい。また、支持フレーム２６上にタイミングベルト２６が設けられているので冷蔵庫のどの位置にある引き出し扉にも設置する事ができる。
【００３６】
（実施例２）
図３は、本発明の実施例２による冷蔵庫の引き出し扉の縦断面図である。
【００３７】
図３において、３２は駆動手段３０の軸３０ａに設置され駆動手段３０の回転方向を変化させるウォームであり、３３はピニオン、３４はピニオン３３からの力を２方向に伝達する分岐歯車であり、３５はローラー２９に分岐歯車３４からの力を伝達する歯車である。３６は分岐歯車３４からの力をスライドピン２８に伝達するためのラッチ付き歯車であり、一部にラッチが設けられている。３７はスライドピン２８を一定距離押し出すための押し出し手段であり、ラッチ付き歯車３６のラッチとかみ合うようにラッチが設けてある。３８はスライドピン２８がスライドしていくための軸である。
【００３８】
以上のように構成された冷蔵庫の引き出し扉について以下その動作を説明する。一つの駆動手段３０の回転力がウォーム３２でその方向を変えられて、分岐歯車３４，歯車３５，ローラー２９へと伝達し、他方、分岐歯車３４からラッチ付き歯車３６，押し出し手段３７，スライドピン２８へと力が伝達する。
【００３９】
以上のように駆動手段３０の力がスライドピン２８とローラー２９に伝達するので同時に動作する事が可能である。また、効率よく駆動手段３０を使用する事ができ、オープンユニット２７をコンパクトにできる。
【００４０】
（実施例３）
図４は本発明の実施例３による冷蔵庫の引き出し扉の縦断面図である。
【００４１】
図４において、３９は歯車形状にした歯車ローラーであり、４０は支持フレーム２５上に設けられた山型タイミングベルトであり、歯車ローラー３９と噛み合う形状になっている。
【００４２】
以上のように構成された自動オープン装置について以下その動作を説明する。
【００４３】
駆動手段３０からの力が歯車ローラー３９に伝達すると、山型タイミングベルト４０上を歯車ローラー３９が噛み合う形で摺動するのでガタツキがなく確実に摺動する。また、冷蔵庫本体２１の設置状態のバラツキで傾きが生じた場合でも、互いが噛み合っているので確実に摺動する事ができる。
【００４４】
（実施例４）
図５は本発明の実施例４における冷蔵庫の引き出し扉の縦断面図および制御ブロック図である。図６は同実施例におけるフローチャートである。
【００４５】
図５において、４１はスイッチ２３がＯＮしたことを判断するスイッチ判定手段であり、４２は駆動手段３０を駆動する電動モーター制御手段であり、４３は駆動手段３０の駆動時間を計測する制御時間計測手段であり、４４はその制御時間の判定手段である。４５は駆動手段３０の電圧を可変するための電圧可変手段である。
【００４６】
次に、フローチャートを用いて制御を説明する。ステップ１０１でスイッチ２３がＯＮしたかどうかをスイッチ判定手段４１で判断し、ＯＮした場合はステップ１０２で駆動手段３０を動作する。駆動手段３０の力はウォーム３２，ピニオン３３，分岐歯車３４，歯車３５，ラッチ付き歯車３６に伝達され、最終的にスライドピン２８と歯車ローラー３９に伝達される。スライドピン２８はラッチ付き歯車３６のラッチと押し出し手段３７のラッチが噛み合う事により、軸３８上をスライドして一定寸法押し出され、引き出し扉２２を押し出す。同時に、歯車ローラー３９は山型タイミングベルト４０上を摺動し引き出し扉２２を開ける。
【００４７】
次に、ステップ１０３で制御時間計測手段４３より駆動手段３０の駆動時間を計測し、ステップ１０４で制御時間判定手段４４により、一定時間を超えたかどうかを判断する。一定時間を超えていない場合は駆動手段３０の動作を継続し、超えた場合はステップ１０５で電圧可変手段４５により徐々に電圧を下げていき、ステップ１０６で駆動手段３０をＯＦＦする。
【００４８】
以上のように制御するため、引き出し扉がソフトに停止する。
【００４９】
（実施例５）
図７は本発明の実施例５を示す冷蔵庫の引き出し扉の縦断面図およびブロック図であり、図８は同実施例のフローチャートである。
【００５０】
図７において４６はオープン装置２７の下前方に設けられたセンサーであり、４７は支持フレーム２５の上、山型タイミングベルト４０の後方に設けられたマグネットである。引き出し扉２２が開ききりロックする時にセンサー４６とマグネット４７の位置が一致するように設けられている。４８は引き出し扉がロックした事を検出する扉ロック検出手段であり、４９は扉ロックしたことを判定する扉ロック判定手段である。
【００５１】
次に、フローチャートを用いて制御を説明する。ステップ２０５で電圧可変手段４５により徐々に電圧を下げていった後、ステップ１０６で引き出し扉２０の位置をセンサー４６とマグネット４７の位置関係から扉ロック検出手段４８で検出し、ステップ１０７で引き出し扉２２が開ききってロックしたかを扉ロック判定手段４９により判定する。引き出し扉２２がロックした場合は駆動手段３０を停止させる。
【００５２】
以上のように動作するので引き出し扉２２がロックした時に駆動手段３０も停止し、経済的であり、安全である。なお、マグネット４７の位置を山型タイミングベルト４０の途中に設置し、そこへの経過時間によって電圧を変更することで、食品の負荷量に合わせて引き出し扉２２をオープンする事ができる。
【００５３】
（実施例６）
図９は本発明の実施例６を示す冷蔵庫の引き出し扉の縦断面図およびブロック図であり、図１０は同実施例のフローチャートである。
【００５４】
図９において、５０は電動モーター反転手段である。
【００５５】
次に、フローチャートを用いて制御を説明する。ステップ１０７で引き出し扉２２がロックしたかを扉ロック判定手段４９により判定した後、引き出し扉２２がロックした場合はステップ１１０で電動モーター反転手段５０により、ラッチ付き歯車３６の間欠部３６ｂまで駆動手段３０を逆転させる。これにより、ラッチ付き歯車３６のラッチ３６ａが押し出し手段３７のラッチ３７ａに噛み合わないようにする。その後、ステップ１１１で駆動手段３０を停止させる。
【００５６】
以上のように動作するので、ラッチ付き歯車３６のラッチが押し出し手段３７のラッチに噛み合わないため、引き出し扉２２を閉める時に負荷とならず、かつ装置の破損につながらない。また駆動手段３０の逆転により、引き出し扉２２を閉める制御にも展開が可能である。
【００５７】
【発明の効果】
支持フレーム上方に設けられたタイミングベルト上を動作する冷蔵庫本体に固定された自動オープンユニットは引き出し扉を押し出すためのスライドピンと、タイミングベルト上を動作するローラーと、スライドピンとローラーを１つの手段により駆動させるための駆動手段とをユニットとして一体構成したことにより引き出しを押し出す力と引き出しを摺動する力を別々に利用でき、効率的であるとともに自動オープンユニットをコンパクトにできる。
【００５９】
また、ローラーを歯車形状とし、タイミングベルトと噛み合わせるので、引き出し扉を確実に摺動させる事ができる。
【００６０】
また、駆動手段の動作が一定時間終了後、駆動手段の電圧を徐々に下げるので、引き出しケースをソフトに停止させることができる。
【００６１】
また、自動オープンユニット内にセンサーを設け、タイミングベルト上に設けたマグネットとの位置関係で引き出しケース位置を検出し、引き出し扉がロックした時に駆動手段を停止するので、安全である。
【００６２】
また、引き出しケースが開いた後は駆動手段を逆転させ、スライドピンに駆動手段の力を伝達する歯車を間欠部まで逆転させるので、引き出し扉を閉める際に負荷とならず、安全である。
【図面の簡単な説明】
【図１】本発明の冷蔵庫の引き出し扉の実施例１の要部縦断面図
【図２】同実施例の冷蔵庫の引き出し扉の縦断面図
【図３】本発明による冷蔵庫の引き出し扉の実施例２の縦断面図
【図４】本発明による冷蔵庫の引き出し扉の実施例３の縦断面図
【図５】本発明による冷蔵庫の引き出し扉の実施例４の縦断面図およびブロック図
【図６】同実施例のフローチャート
【図７】本発明による冷蔵庫の引き出し扉の実施例５の縦断面図およびブロック図
【図８】同実施例のフローチャート
【図９】本発明による冷蔵庫の引き出し扉の実施例６の縦断面図およびブロック図
【図１０】同実施例のフローチャート
【図１１】従来の冷蔵庫の斜視図
【図１２】従来の冷蔵庫の引き出し扉の縦断面図
【図１３】従来の冷蔵庫の引き出し扉の正面図
【符号の説明】
２２  引き出し扉
２５  支持フレーム
２６  タイミングベルト
２７  自動オープンユニット
２８  スライドピン
２９  ローラー
３０  駆動手段
３９  歯車ローラー
４０  山型タイミングベルト
４６  センサー
４７  マグネット
【図１】
0003563622.tif 000002
【図２】
0003563622.tif 000003
【図３】
0003563622.tif 000004
【図４】
0003563622.tif 000005
【図５】
0003563622.tif 000006
【図６】
0003563622.tif 000007
【図７】
0003563622.tif 000008
【図８】
0003563622.tif 000009
【図９】
0003563622.tif 000010
【図１０】
0003563622.tif 000011
【図１１】
0003563622.tif 000012
【図１２】
0003563622.tif 000013
【図１３】
0003563622.tif 000014